(57)【要約】【課題】視度調節を行う際、煩雑な操作をユーザーに強いることなく確実にＥＶＦの視度調整を行えるデジタルスチルカメラを提供する。【解決手段】画像の表示やモニタリング中の被写体を表示するための第１の表示手段と、前記第１の表示手段の表示面積よりも大きな表示面積を有する第２の表示手段と、前記第１と第２の表示手段を一方が表示状態で他方が非表示状態になるように切替える表示状態切替え手段と、前記第１の表示手段の視度を調節するための視度調節手段と、視度調節用の画像データを記憶する記憶手段と、前記第１の表示手段の視度調節が行われていることを検出する検出手段と、前記記憶手段より前記視度調節用の画像データを読み出して前記第１の表示手段に表示する表示制御手段と、を具備した構成となっている。【選択図】図１
2008219429.tif 000002
【特許請求の範囲】
【請求項１】
被写体を撮像するための撮像装置であって、
画像の表示やモニタリング中の被写体を表示するための第１の表示手段と、
前記第１の表示手段の表示面積よりも大きな表示面積を有する第２の表示手段と、
前記第１と第２の表示手段を一方が表示状態で他方が非表示状態になるように切替える表示状態切替え手段と、
前記第１の表示手段の視度を調節するための視度調節手段と、
視度調節用の画像データを記憶する記憶手段と、
前記第１の表示手段の視度調節が行われていることを検出する検出手段と、
前記検出手段によって前記第１の表示手段の視度調節が行われていることが検出され、前記第１の表示手段が表示状態に切り替えられている場合、前記記憶手段より前記視度調節用の画像データを読み出して前記第１の表示手段に表示する表示制御手段と、を具備したことを特徴とする撮像装置。
【請求項２】
前記視度調節用の画像データが、前記第１の表示手段の視野枠の全体に表示されることを特徴とする請求項１記載の撮像装置。
【請求項３】
前記第１の表示手段が、電子ビューファインダであり、前記第２の表示手段が、カメラ本体に設けられた表示パネル部であることを特徴とする請求項１記載の撮像装置。
【請求項４】
前記検出手段によって前記第１の表示手段の視度調節が行われていることが検出されていても、前記第２の表示手段が表示状態に切り替えられて前記第２の表示装置に画像の表示やモニタリング中の被写体を表示がされている場合には、前記第２の表示装置に画像やモニタリング中の被写体が表示しつづけられることを特徴とする請求項１乃至３のいずれか一項に記載の撮像装置。
【請求項５】
画像の表示やモニタリング中の被写体を表示するための第１の表示手段と、前記第１の表示手段の表示面積よりも大きな表示面積を有する第２の表示手段と切り替えて表示する撮像装置における視度調節方法であって、
視度調節用の画像データを記憶手段に記憶するステップと、
前記第１の表示手段の視度調節が視度調節手段により行われていることを検出するステップと、
前記検出手段によって前記第１の表示手段の視度調節が行われていることが検出された場合に、表示状態切替え手段により前記第１の表示手段を表示状態に切り替えるステップと、
前記記憶手段より前記視度調節用の画像データを読み出して前記第１の表示手段に表示するステップと、を具備したことを特徴とする撮像装置の視度調節方法。
【発明の詳細な説明】
【技術分野】
【０００１】
この発明は、被写体を撮像するために画像の表示やモニタリング中の被写体を表示するためのＥＶＦ（第１の表示手段：電子ビューファインダ）と、ＥＶＦの表示面積よりも大きな表示面積を有するＬＣＤ（第２の表示手段：表示パネル部）と切り替えて表示する撮像装置およびその視度調節方法に関し、特に、視度調節を行う際、煩雑な操作をユーザーに強いることなく確実にＥＶＦの視度調整を行なえる撮像装置およびその視度調節方法に関するものである。
【背景技術】
【０００２】
近年のデジタルスチルカメラにおいては、ズーム倍率の高倍率化に伴い、ファインダのスペースを小型化するためＯＶＦ（光学ファインダ）の代わりにＥＶＦ（電子ビューファインダ）を搭載する機種が多くなってきている。
このＥＶＦは小型液晶を少なくとも１枚以上のレンズで拡大し、観察するように構成される。また、多くのＥＶＦでは、これらのレンズを可動できるようにし、ユーザーの眼に小型液晶に表示される画像の焦点を合わせられるようにした機構、所謂視度調節機構を持つものが多い。
従って、ＥＶＦを使って被写体を撮像する場合、被写体像を撮像素子面上に合焦させるために、レンズ群をフォーカシングするためのフォーカシング機構（以下フォーカシング機構）と、前述のＥＶＦ用の視度調節機構との２つの焦点合わせのための機構あることになる。
【０００３】
なお、先行技術としては、特許文献１として、視度調整リングを回転して、レンズホルダをファインダホルダ内で軸方向に移動させるとき、接眼撮像時の視度調整リングの回転角の位置において、ストップリングにより視度調整リングの回転を係止し、これにより、離眼撮像モードから接眼撮像モードにくり返し切り替えるときの視度調整を不要とする技術が開示されている。
特許文献２として、使用者が像を観察することのできる観察光学系と、該観察光学系において光軸方向に移動する視度補正用のレンズと、それぞれが異なる視度に設定されている複数の視度指標と、該使用者が該複数の視度指標の中から１つを選択する選択手段と、該選択手段によって選択された視度指標に対応する位置に該レンズを移動させるレンズ移動手段とを有する技術が開示されている。
特許文献３として、内蔵メモリ、或いはＲＯＭには、撮影画質に影響するパラメータの選択可能な内容別に、その内容で撮影されたサンプル画像が格納され、システム制御部は、そのパラメータの内容をユーザが選択する場合に、サンプル画像を、信号処理部、及びＬＣＤ  Ｉ／Ｆを介してＬＣＤに表示させる技術が開示されている。
【特許文献１】特開平５−１９９４４７号公報
【特許文献２】特開平９−２１１５４１号公報
【特許文献３】特開２００４−２８２１７８公報
【発明の開示】
【発明が解決しようとする課題】
【０００４】
しかしながら、ＥＶＦを使って被写体を撮像する場合、被写体像を撮像素子面上に合焦させるために、レンズ群をフォーカシングするためのフォーカシング機構（以下フォーカシング機構）と、前述のＥＶＦ用の視度調節機構との２つの焦点合わせのための機構ある場合、例えばフォーカシング機構での焦点調節が合焦位置にならなかった場合、ＥＶＦ内の小型液晶に表示される画像自体がぼやけた状態で表示されることになる。この状態でＥＶＦの視度調節機構を操作する可能性もあるが、この場合ピントの合うポイントを見つけることができないか、或いは正規の視度調節ポイントではないポイントで調整されることになってしまう問題があった。
また、撮像素子を通さない画像として、カメラの各種設定情報を絵文字や文字で表示するＯＳＤ（ON SCREEN DISPRAY）と呼ばれる画像データがあるが、そもそもＥＶＦの視度を調節するために備えられているデータではないので、画面全体のピントの合い具合をみたりするのには不向きであった。
本発明は、以上のような従来機種での問題点を鑑みてなされたもので、その目的とするところは、視度調節を行う際、煩雑な操作をユーザーに強いることなく確実にＥＶＦの視度調整を行える撮像装置およびその視度調節方法を提供することである。
【課題を解決するための手段】
【０００５】
上述の目的を達成するために、請求項１記載の発明は、被写体を撮像するための撮像装置において、画像の表示やモニタリング中の被写体を表示するための第１の表示手段と、前記第１の表示手段の表示面積よりも大きな表示面積を有する第２の表示手段と、前記第１と第２の表示手段を一方が表示状態で他方が非表示状態になるように切替える表示状態切替え手段と、前記第１の表示手段の視度を調節するための視度調節手段と、視度調節用の画像データを記憶する記憶手段と、前記第１の表示手段の視度調節が行われていることを検出する検出手段と、前記検出手段によって前記第１の表示手段の視度調節が行われていることが検出され、前記第１の表示手段が表示状態に切り替えられている場合、前記記憶手段より前記視度調節用の画像データを読み出して前記第１の表示手段に表示する表示制御手段と、を具備したことを特徴とする。
また、請求項２記載の発明は、前記視度調節用の画像データが、前記第１の表示手段の視野枠の全体に表示されることを特徴とする。
また、請求項３記載の発明は、前記第１の表示手段が、電子ビューファインダであり、前記第２の表示手段が、カメラ本体に設けられた表示パネル部であることを特徴とする。
【０００６】
また、請求項４記載の発明は、前記検出手段によって前記第１の表示手段の視度調節が行われていることが検出されていても、前記第２の表示手段が表示状態に切り替えられて前記第２の表示装置に画像の表示やモニタリング中の被写体を表示がされている場合には、前記第２の表示装置に画像やモニタリング中の被写体が表示しつづけられることを特徴とする。
また、請求項５記載の発明は、画像の表示やモニタリング中の被写体を表示するための第１の表示手段と、前記第１の表示手段の表示面積よりも大きな表示面積を有する第２の表示手段と切り替えて表示する撮像装置における視度調節方法において、視度調節用の画像データを記憶手段に記憶するステップと、前記第１の表示手段の視度調節が視度調節手段により行われていることを検出するステップと、前記検出手段によって前記第１の表示手段の視度調節が行われていることが検出された場合に、表示状態切替え手段により前記第１の表示手段を表示状態に切り替えるステップと、前記記憶手段より前記視度調節用の画像データを読み出して前記第１の表示手段に表示するステップと、を具備したことを特徴とする。
【発明の効果】
【０００７】
本発明によれば、ユーザーに煩雑な操作を強いることなく、確実にすばやく視度調節を行なうことができる。
また、本発明によれば、第１の表示手段（電子ビューファインダ）の視度調節を画面全体のバランスを見ながら確実に行うことが出来る。
また、本発明によれば、ＬＣＤは視度調節画像を表示する必要がないので、ＥＶＦの視度調節手段を少し動かしてしまった場合でも、ＬＣＤで画像を表示している状態では視度調節画像を表示しないよう制御するので、無駄にモニタリング画像が消えてしまうような不具合を防止することができる。
【発明を実施するための最良の形態】
【０００８】
以下に添付の図を参照してこの発明の実施形態を詳細に説明する。
図１は、本発明によるデジタルスチルカメラの要部に関する一実施形態の内部構成ブロック図である。
図１に示すように、このデジタルスチルカメラは、被写体像を映像信号として出力するＣＣＤ１と、ＣＣＤ１の面上で被写体像を合焦させるためにレンズ３を動かすフォーカシング機構５と、実際にフォーカシング機構５を動かすためのフォーカスモータ７と、フォーカスモータ７を動かすためのモータードライバー（ＭＯ＿Ｄｒ）９と、ＣＣＤ１を駆動するためのＩＣからなるタイミングジェネレータ（ＴＧ）１１と、ＣＣＤ１から出力される映像信号をサンプリングし、Ａ／Ｄ変換して出力するＩＣからなるＣＤＳ・Ａ／Ｄ１３と、入出力画像信号の処理、モータ駆動制御、各種入力信号の処理、ＬＣＤやＥＶＦへの画像データの出力処理などを行なう画像処理装置（ＤＳＰ）１５と、ＤＳＰ１５で扱う画像データの一時的な保存、及びＤＳＰ１５のプログラムの一時的な保存場所として使用されるＳＤＲＡＭ１７と、ＤＳＰ１５用のプログラムデータや、ＯＳＤなどのデータ、撮影・記録された画像データの保存などに使用されるフラッシュＲＯＭ１９と、画像の表示やモニタリング中の被写体を表示するためのＥＶＦ（第１の表示手段：電子ビューファインダ）２１と、ＥＶＦ２１の表示面積よりも大きな表示面積を有するＬＣＤ（第２の表示手段：表示パネル部）２３と、ＥＶＦ２１とＬＣＤ２３とを一方が表示状態、他方が非表示状態になるように切替える表示状態切替え部２５と、ＥＶＦ２１の画像を拡大するための接眼レンズ２７と、接眼レンズ２７を手動で動かすようにすることによりＥＶＦ２１の視度を調節するための視度調節機構２９と、視度調節が行なわれているか否かを検出するための検出部３１と、を備えている。
なお、視度調節機構２９は、ダイヤル方式やスライド方式などがあり、検出回路３１は、ダイヤル方式の場合、その回転を検出できるように、フォトインタラプタなどで構成されるロータリーエンコーダ回路（図２参照）からなり、スライド方式の場合、スライドスイッチと連動して動くブラシを設け、そのブラシを抵抗板に接続させ、抵抗板から出力される電圧値の変化をみるようにする回路（図３参照）からなる。
【０００９】
図２は、ダイヤル方式の視度調節機構の構成説明図であり、図３は、スライド方式の視度調節機構の構成説明図である。
また、フラッシュＲＯＭ１９には、視度調節用画像データも格納されるようになっており、ＤＳＰ１５により、ＥＶＦ２１の視度を調節する際に、視度調節用画像を表示するように制御する。
ここで、静止になって直ぐにモニタリング画像に切り替わってしまうのを防止するため、動作状態から静止となってからも所定時間（例えば２秒程度）は、調節用画像を表示しつづけるようにし、所定時間後、調節用画像消すように制御する。
また、表示状態切換部２５は、トグルスイッチで構成され、スイッチがどちらにあるかによってＬＣＤ２３に画像を表示するか、ＥＶＦ２１に画像を表示するかが決定されるようになっている。
【００１０】
図４〜６は、視度調節用画像データの表示例を示す説明図である。
本発明の実施形態では、図４〜６に示すように、視度調節用画像データがＥＶＦ２１の視度枠の全体に表示するようになっている。これにより、ＥＶＦ２１の視度調節を画面全体のバランスを見ながら確実に行うことが出来る。
図４に示した視度調節用画像データの表示例では、画面内に配置された視度調節用の絵柄を比較的大きく太く配置しているため、調節具合を大まかではあるがすばやく調節できるメリットがある。
図５に示した視度調節用画像データの表示例は、視力検査で使用されるランドルト環を同心円状に配置した例であり、ランドルト環の太目のものと細めのものを対で配置しているので、正確に視度を調節したい場合にも対応できるメリットがある。
図６に示した視度調節用画像データの表示例は、同心円を配置した例であり、ボケた状態では塗り潰された様に見え、視度を短時間で容易に調節することが可能になる。
【００１１】
次に、図１に示したデジタルスチルカメラの動作について、図７のフローチャートを参照して説明する。図７は、図１に示したデジタルスチルカメラの動作フローチャートである。
このデジタルスチルカメラの動作の要点といたしましては、常に検出部３１の出力を監視し、検出部３１の出力に変化があり、視度調節が行なわれている場合、表示切替え部２５がＥＶＦ２１側である場合は視度調節用画像データを表示し、表示切替え部２５がＥＶＦ２１側でない場合は視度調節用画像データを表示しないようにしていることである。
図７のステップ１０１において、検出部３１の出力変化があるか否かを判断し、検出部３１の出力変化があり視度調節が行なわれている場合、表示状態の切り替えがＥＶＦ２１側か否かが判断される（ステップ１０３）。そして、表示状態の切り替えがＥＶＦ２１側の場合、視度調節用画像データがＥＶＦ２１に表示される（ステップ１０５）。そのため、ユーザーに煩雑な操作を強いることなく、確実にすばやく視度調節を行なうことができる。
【００１２】
また、表示状態の切り替えがＥＶＦ２１側でなく、ＬＣＤ２３側である場合、ステップ１０１に戻り、ＬＣＤ２３に画像やモニタリング中の被写体が表示しつづけられる。従って、ＥＶＦ２１の視度調節手段を少し動かしてしまった場合でも、ＬＣＤ２３で画像を表示している状態では視度調節画像を表示しないよう制御するので、無駄にモニタリング画像が消えてしまうような不具合を防止することができる。
そして、所定時間表示したか否かが判断され（ステップ１０７）、視度調節用画像データがＥＶＦ２１に所定時間表示された場合、再び検出部３１の出力変化があるか否かを判断し（ステップ１０９）、検出部３１の出力変化がない場合、視度調節用画像データが非表示とされる（ステップ１１１）。
以上のように、本実施形態によれば、ユーザーに煩雑な操作を強いることなく、確実にすばやく視度調節を行なうことができるものである。
また、検出部３１の出力に変化があり、視度調節が行なわれており、表示切替え部２５がＥＶＦ２１側である場合は、常に視度調節用画像データを表示するようにしているが、常に視度調節用画像データを表示するのではなく、例えば、所定回数に１回視度調節用画像データを表示するようにしても良い。
【図面の簡単な説明】
【００１３】
【図１】本発明によるデジタルスチルカメラの要部に関する一実施形態の内部構成ブロック図である。
【図２】ダイヤル方式の視度調節機構の構成説明図である。
【図３】スライド方式の視度調節機構の構成説明図である。
【図４】視度調節用画像データの例を示す説明図である。
【図５】視度調節用画像データの例を示す説明図である。
【図６】視度調節用画像データの例を示す説明図である。
【図７】図１に示したデジタルスチルカメラの動作フローチャートである。
【符号の説明】
【００１４】
１…ＣＣＤ、３…レンズ、５…フォーカシング機構、７…フォーカスモータ、１５…ＤＳＰ、１７…ＳＤＲＡＭ、１９…ＲＯＭ、２１…ＥＶＦ、２３…ＬＣＤ、２５…表示状態切換部、２７…接眼レンズ、２９…視度調節機構、３１…検出部
【図１】
2008219429.tif 000003
【図２】
2008219429.tif 000004
【図３】
2008219429.tif 000005
【図４】
2008219429.tif 000006
【図５】
2008219429.tif 000007
【図６】
2008219429.tif 000008
【図７】
2008219429.tif 000009